(57)【要約】【課題】透析や点滴等の際の穿刺部の保護と、穿刺された留置針の固定と、取外しを確実かつ効率的に行おうとする。【解決手段】基材の一面に粘着剤層を形成した貼付材であって、この貼付材は上記粘着剤層の一部に止血用のパッド７を定置した血管に対する穿刺部３１の上を覆う止血用部片４と、上記穿刺部３１に連続する留置針２０を固定する固定用部片５を備えている。止血用部片４と固定用部片５は不連続切線６等により切離し可能に連結されている。この医療用貼付材１は、穿刺部３１を保護し、留置針２０を確実に固定することができる。また固定用部片５を切離せば、止血用部片４を穿刺部３１であった所に残して、止血をすることができる。【選択図】図３
0003196705.tif 000002
【実用新案登録請求の範囲】
【請求項１】
基材の一面に粘着剤層を形成した貼付材であって、該貼付材は上記粘着剤層の一部に止血用のパッドを定置した血管に対する穿刺部の上を覆う止血用部片と、上記穿刺部に連続する留置針を固定する固定用部片を備えており、上記止血用部片と上記固定用部片は切離し可能に連結されている医療用貼付材。
【請求項２】
上記止血用部片と固定用部片は、不連続切線により切離し可能に連結されている請求項１に記載の医療用貼付材。
【請求項３】
上記止血用部片及び固定用部片の粘着剤層は、２枚の剥離シートによって覆われている請求項１または２に記載の医療用貼付材。
【請求項４】
上記止血用部片は、丸型、楕円形、多角形のいずれかに形成されている請求項１または２に記載の医療用貼付材。
【請求項５】
上記固定用部片は、上記止血用部片よりも大きく形成されている請求項１または２に記載の医療用貼付材。
【考案の詳細な説明】
【技術分野】
【０００１】
本考案は、医療用貼付材に関するものであり、更に詳細には、透析や点滴等の際に好適に用いることができる医療用貼付材に関するものである。
【背景技術】
【０００２】
従来から透析や点滴を行う場合には、図７に示すように、留置針のカテーテル５１を穿刺した状態を長時間維持することが必要であり、また、穿刺部５２から細菌やウイルス等が侵入して感染症を引き起こすことを防ぐために、穿刺部５２にパッド５３を備えた絆創膏５４（特許文献１）や、透明のフィルムドレッシング材などを利用して覆っていた。そして、更に、穿刺されているカテーテル５１が外れないように、絆創膏５５等によって留置針のカテーテル以外の部位５６を患者の皮膚５７表面に固定していた。また、透析や点滴が完了し、カテーテル５１を抜去後、穿刺部５２からの出血を抑えるため、別に用意したパッド５３を備えた止血用絆創膏５４などを貼付して覆っていた。
【先行技術文献】
【特許文献】
【０００３】
【特許文献１】特許第３５２５３５８号
【考案の概要】
【考案が解決しようとする課題】
【０００４】
本考案は、上記した穿刺部の保護と、穿刺された留置針の固定と、取外しと、取外し後の止血を確実かつ効率的に行うとするものである。
【課題を解決するための手段】
【０００５】
本考案は、基材の一面に粘着剤層を形成した貼付材であって、該貼付材は上記粘着剤層の一部に止血用のパッドを定置した血管に対する穿刺部の上を覆う止血用部片と、上記穿刺部に連続する留置針を固定する固定用部片を備えている。上記止血用部片と上記固定用部片は切離し可能に連結して医療用貼付材とされている。
【考案の効果】
【０００６】
本考案の医療用貼付材は、透析や点滴を行う際に、穿刺部及びカテーテルに医療用貼付材の止血用部片を貼り付け、固定用部片によって留置針を固定することができる。透析等の治療が終わったときには、固定用部片を皮膚から剥し、止血用部片の上を押さえながら、固定用部片と共にカテーテルを引き抜くと、上記固定用部片が切離されて取除かれるので、その後、止血用部片をそのまま穿刺部に貼り付けることによって止血することができる。このように、従来は２枚以上の貼付材が必要でこれらを一つ一つ貼付する作業が必要であったところ、本考案の医療用貼付材により、１枚の貼付材で、効率的に確実な処置が行えるようになる。また、医療現場での在庫管理上の負担も軽減することができる。
【図面の簡単な説明】
【０００７】
【図１】本考案の実施例を示す正面図である。
【図２】図１に示すものの拡大断面図である。
【図３】図１に示すものの使用状態を示す説明図である。
【図４】図３に示すものの留置針を取外す状態を示す斜視説明図である。
【図５】本考案の他の実施例を示す正面図である。
【図６】本考案の更に他の実施例を示す正面図である。
【図７】従来例の使用状態を示す説明図である。
【考案を実施するための形態】
【０００８】
本考案の医療用貼付材１は、基材２の一面に粘着剤層３が設けられており、穿刺部３１とカテーテル２１の一部を覆う止血用部片４、及び留置針２０のカテーテル２１以外の部位の固定に用いられる固定用部片５を有している。留置針２０は、先端から、カテーテル２１、ハブ部２２、アダプター２３、接続部２４が順に設けられている。
【０００９】
上記基材２は、ポリエチレン、ポリプロピレン、ポリウレタン、ポリエステル、ポリアミドその他のプラスチックフイルム、不織布、織布、紙、その他のシ−ト体で形成されている。また、上記粘着剤層３は、留置針２０を固定するのに十分な粘着力を有するもので、アクリル系粘着剤、ゴム系粘着剤、シリコーン系粘着剤、ウレタン系粘着剤、その他の粘着剤を用いることができる。これらの中で、皮膚３０に対する刺激性が少なく、かつ汎用的に使用できるものとしては、アクリル系の粘着剤がある。
【００１０】
止血用部片４の粘着剤層３の上には、その中央部分にパッド７が定置されている。このパッド７は、ガーゼ、不織布、綿、圧縮綿その他の吸液性を持つものや、これらを適宜組合せたものが使用され、穿刺部３１から漏れた薬液や血液を吸収することができる。上記した止血用部片４と固定用部片５は、ミシン目その他の不連続切線６を介して連結したり、連結部分を短くしたりして切離すことが可能な状態に形成して医療用貼付材１とされている。
【００１１】
図１に示すものは、略丸型の止血用部片４と略楕円形の固定用部片５が、固定用部片５の一部が突出した頸部８を介して連結され、この頸部８に不連続切線６が形成されている。上記止血用部片４の大きさは、穿刺部３１の周囲をパッド７で覆った状態にして貼り付けておくことができる程度にするとよい。また、固定用部片５は、留置針２０が動かないように固定するのに十分な大きさがあれば足りるが、通常、止血用部片４よりも大きく形成するのが好ましく、図１に示すものでは、ハブ部２２から接続部２４まで覆うことができる程度の大きさに形成されている。
【００１２】
こうした医療用貼付材１は、通常、上記粘着剤層３を覆うように剥離シートを仮着するとよい。この剥離シートは、一枚でもよいし、図２に示すように、主に上記止血用部片４を覆うもの９と、固定用部片５を覆うもの１０との２枚構成にしたりするとよい。
【００１３】
この医療用貼付材１を使用する場合、先ず、皮膚３０表面を消毒し、内針（図示せず）が挿入されているカテーテル２１を皮膚３０に穿刺し、内針の先端を目的の血管に到達させた後、カテーテル２１を必要な深さまで血管内に挿入する。その後内針を抜いて、接続部２４に輸液セット又は透析セットのチューブ４０を接続する。
【００１４】
上記医療用貼付材１の止血用部片４側の剥離シート９を剥し、止血用部片４のパッド７を穿刺部３１にあてがうようにして、粘着剤層３を皮膚３０表面に貼付して固定する。次に固定用部片５の剥離シート１０を剥がし、留置針２０のカテーテル２１以外の部位を覆うようにして皮膚３０に貼付すると、留置針２０を皮膚３０に固定することができ、穿刺されているカテーテル２１に影響を与えることなく長時間に亘って安定に保つことができる（図３参照）。
【００１５】
透析や点滴が終了したら、留置針２０を押さえながら固定用部片５の貼付されている部分を皮膚３０から剥し、固定用部片５と留置針２０を一緒に手に持ち、他方の手で止血用部片４を押さえながら引っ張るようにすると、固定用部片５は不連続切線６より切離され、それと共に留置針２０が取り除かれる（図４参照）。穿刺部３１であった部分に残された止血用部片４は、そのまま皮膚３０表面に残して貼付け、止血が完了するまで貼付しておくことができる。
【００１６】
図５に示すものは、正方形状の止血用部片４と、隅丸長方形状の大きな固定用部片５を有するもので、頸部８を持たず両部片が不連続切線６を介して連結されたものである。これは、穿刺部３１と接続部２４が余り離れていないような場合に、好適に用いることができる。
【００１７】
図６のものは、頸部８が側方に設けられているものであって、カテーテル２１の一部が見えているので、カテーテル２１を体内から抜く際に、その先端を確認し易いことがある。
【００１８】
止血用部片４及び固定用部片５は、上記頸部８を細くすることによって連結部分を短く形成すれば、その部分で両者を切離すことができるので、不連続切線６が無くても都合よく使用することができる。
【００１９】
止血用部片４及び固定用部片５の形状は、上記したものの他、止血と留置針２０の固定などが確実にできるものであれば特に限定されず、例えば略半円形、略丸形、略楕円形、正方形等の多角形、角取りされた略多角形、その他適宜形状に形成することができ、止血用部片４と固定用部片５を同じ形状にしたり、異なる形状のものを組合せても良い。
【符号の説明】
【００２０】
１：医療用貼付材
２：基材
３：粘着剤層
４：止血用部片
５：固定用部片
６：不連続切線
７：パッド
８：頸部
９：剥離シート
１０：剥離シート
２０：留置針
２１：カテーテル
２２：ハブ部
２３：アダプター
２４：接続部
３０：皮膚
３１：穿刺部
４０：チューブ
【図１】
0003196705.tif 000003
【図２】
0003196705.tif 000004
【図３】
0003196705.tif 000005
【図４】
0003196705.tif 000006
【図５】
0003196705.tif 000007
【図６】
0003196705.tif 000008
【図７】
0003196705.tif 000009